(57)【要約】【課題】  複数枚のパネルを床面に対して垂直に起立して配列することで周囲を囲み、天井には天井パネルを取付け、そして入口には引戸を装着したブースであって、空きテナントに設置して商売用として使用できるように構成した外観・意匠の良好なブースの提供。【解決手段】  パネルの少なくとも正面側には枠体にガラス板を嵌めたガラスパネル２，２・・を用い、上記引戸３は正面パネルの上端に取付けたフロント側横桟５の背面に取着した上レール１１に吊車１６を介してスライド可能に吊設し、フロント側ガラスパネル２に沿って天井には吊車１６から垂下して引戸３と連結する吊具１８が移動する開口２０を設けている。【選択図】    図１
2006207258.tif 000002
【特許請求の範囲】
【請求項１】
複数枚のパネルを床面に対して垂直に起立して配列することで周囲を囲み、天井には天井パネルを取付け、そして入口には引戸を装着したブースにおいて、上記パネルの少なくとも正面側には枠体にガラス板を嵌めたガラスパネルを用い、上記引戸は正面パネルの上端に取付けたフロント側横桟の背面に取着した上レールに吊車を介してスライド可能に吊設し、フロント側ガラスパネルに沿って天井には吊車から垂下して引戸と連結する吊具が移動する開口を設けたことを特徴とする引戸を装着したブース。
【請求項２】
上記入口の戸先側には配電ボックスを設けて引戸の戸先が当接する戸当り部を形成した請求項１記載の引戸を装着したブース。
【請求項３】
上記フロント側横桟には長手方向へ延びる凹溝を形成し、該凹溝に係止板を嵌めると共に入口の係止片に係止してフロント側横桟の背面には取付け板を係止板にネジ止めして取着し、この取付け板に上レールを固定した請求項１、又は請求項２記載の引戸を備えたブース。
【発明の詳細な説明】
【技術分野】
【０００１】
本発明は主としてオフィスビル内に設置する為に主な外側部をガラスパネルで構成したブースに関するものである。
【背景技術】
【０００２】
工場内には製品を製造する為の設備が設置されることは勿論であるが、作業者の更衣室や食堂、部品などの管理・調達室、又は毎日の作業に際しての打合せやミーティングを行う場所が必要である。その為に、従来から大きな工場建屋内に小さな密閉空間を作るブースを設置している。このブースは必要に応じて設置することが出来、不要になった場合には撤去することが可能である。しかも、その大きさも自由に決めて設置することも可能であることから、主として製造工場において用いられている。
【０００３】
図６は従来の一般的なブースと称されるものである。該ブースは複数枚の金属製パネル(イ)、(イ)・・を周囲に起立して配列し、天井を設けることで仕切られた密閉空間を構成することが出来る。そして、パネル(イ)には窓(ロ)、(ロ)・・を設けて透明性、採光性を確保することが出来、また出入りする為の入口にはドア(ハ)が取付けられている。
【０００４】
ところで、本発明が対象とするブースは工場内に設置するのではなく、空きテナントなどのオフィスビル内に設置し、商品の販売や事務サービスを行う為のブースであり、その為に、該ブースは顧客の出入りを考慮した外観・形態を構成することが要求される。前記図７に示すような形態の従来ブースでは顧客を対象とした商売には適していない。
【０００５】
近年、オフィスビルには空きテナントが多く目立ち、この空きテナントを借りて商売を行うに際して、それなりの金額をかけての補修が必要となる。このような、空きテナントに所定の外観・形態を備えたブースを設置するだけで商売を行うことが出来るならば、経済的負担が軽減されると共にテナント内の補修期間がなくて便利である。
【０００６】
ところで、工場内に設置されるブースは図６に示すように入口にはドア(ハ)が取付けられ、パネルには窓(ロ)が設けられているが、ブースの外観の向上を図る為にはドアより引戸の方が好ましい。又窓(ロ)を設けた金属製パネル(イ)では顧客が出入りする商売用のブースとしては好ましくなく、少なくとも正面側はガラスパネルが好ましい。
【０００７】
ところが、ブースの天井が高い場合であれば入口の上部に上レールを設け、この上レールに引戸を吊設することに何ら問題ないが、天井高さの低いブースであれば入口上部に上レールを設けた構造としたのでは引戸の高さが低く成り、背の高い人は腰を曲げて出入りしなくてはならなくなる。工場建屋の天井は高い為に、ブース天井も高くすることは可能であるが、オフィスビルの天井は工場建屋に比較して低く、ブース天井を高くすることは出来ない。
【０００８】
特開２００４−３１６０８５号に係る「扉付きの間仕切装置」は、上方をオープンさせた囲い枠状の間仕切装置において、吊り戸式扉の下部をガイドするガイド構造の組立て作業性を向上させたものであり、この吊り戸式扉はパネルの表面側に吊設されている。この吊り戸は手動にて開閉操作するように構成されているために、上レールを傾斜する必要がなく、又エアダンパーを備えていない為に、間仕切装置の天枠体にレール部を形成している。
【０００９】
自動閉鎖する為に上レールを傾斜して取付けたり、完全自動開閉機構を備える場合には、間仕切装置の天枠体を兼用することは出来ず、天枠体の下側に特別な上レールを取付けなくてはならない。しかし、入口上部に上レールを取付けて構成した間仕切装置の扉はその外観が損なわれる。同じく、特開２００３−３２８４８２号に係る「ワークスペースシステム」は、ユニットを囲む壁手段のうち、１つの壁手段をキャビネット群にて構成し、他の壁手段としたフロント壁体の出入口には扉を取付けている。しかも、該扉はフロント壁体の表面側と成っている。
【００１０】
このように、扉をパネル正面側に設ける場合、ブースとしての外観・形態が好ましくなく、特に該扉を吊設する為の上レールが見えないようにカバーしなくてはならない。
【特許文献１】特開２００４−３１６０８５号に係る「扉付きの間仕切装置」
【特許文献２】特開２００３−３２８４８２号に係る「ワークスペースシステム」
【発明の開示】
【発明が解決しようとする課題】
【００１１】
工場建屋内に設置されるブースをオフィスビル内に設置するには上記に述べたように、その外観、並びに引戸(扉)の取付け構造に問題がある。本発明が解決しようとする課題はこの問題点であり、ガラスパネルを主体として構成し、天井が低いブースであっても引戸高さを十分にとることが出来ると共に、該引戸を吊設する上レールが表面化しないで構成したブースを提供する。
【課題を解決するための手段】
【００１２】
本発明に係るブースは周囲にパネルを配列して囲み、天井には天井パネルを取付けている。しかし、該ブースは従来のような製造工場内に設置することを目的としたものではなく、オフィス内に設置される。ブース天井はオフィスビル内に設置できる高さであるが、その高さの範囲内で十分な高さの引戸が装着される。そして、少なくとも正面側にはガラスパネルが用いられ、オフィス用ブースとしての外観・意匠を考慮したデザインと成っている。
【００１３】
上記引戸は入口上方に設けた上レールに吊設されてスライドすることが出来、半自動開閉又は全自動開閉動作を行うように構成されている。勿論、完全手動開閉動作を行うようにすることも自由である。そして、引戸を吊設する上レールは入口の上部ではなく、ブース天井のフロント側横桟の背面に取着されている。従って、天井の入口側一部には引戸を吊設する吊具が移動する為の細長い開口を設けている。
【発明の効果】
【００１４】
本発明のブースは入口に引戸が装着され、この引戸はフロント側横桟の背面に取着した上レールに吊設されている。上レールは天井パネルにてカバーされる為にブース内でも露出せず、従って点検パネルを取付ける必要はない。又入口上部に上レールがない為に、該入口の高さをガラスパネルと同じにすることが出来る。従って、ガラスパネルで構成される側面パネルと引戸高さが一律化することでブースの外観・意匠が向上する。
【００１５】
又、ガラスパネルなどの側面パネルの上端には横桟が水平に取付けられて、ブースの外観・意匠は商売用に適したものとなる。一方、オフィスビルの空きテナントに本発明のブースを設置するだけで商品の販売やサービル業を行うことが出来る為にテナントの内装を補修する必要がなく、経済的であると共に補修期間が要らなくなる。
【実施例】
【００１６】
図１は本発明に係るオフィス用ブースを示す外観図である。側面は複数枚のパネルが配列して囲まれ、天井には天井パネルが取付けられて、密閉された小空間が形成される。上記ブースの側面を構成するパネルの中で、後側は金属パネル１が用いられ、正面側及び両側にはガラスパネル２，２・・を用いている。金属パネル１とはペーパーコアなどの心材の両面に金属製表面材を貼り合せて構成し、ガラスパネル２とは長方形の枠体にガラス板を嵌めて構成している。
【００１７】
そして、正面に設けられる入口には引戸３が装着され、該引戸３は上レールに吊設されてスライド可能と成っている。ところで、ブースの側壁と成る金属パネル１及びガラスパネル２は、図２及び図３に縦断面、横断面を示すように床面から垂直に起立するアジャスターネジ４に金属パネル１及びガラスパネル２が載って適度な高さに支持され、金属パネル１及びガラスパネル２の上端には横桟５，５が取着されている。勿論、横桟５，５・・は四方に設けられ、フロント側横桟、両側横桟、及び後側横桟を有し、これら各横桟５，５・・は長方形に枠組みされた状態でブース上端に載置されている。
【００１８】
金属パネル１，１・・及びガラスパネル２，２・・は間にスタッド６，６・・を介在して互いに連結し、そしてブースの四方には主柱７，７・・が起立している。勿論、主柱７と金属パネル１及びガラスパネル２との間にもスタッド６が介在している。そして、正面側には入口８が設けられ、該入口８には引戸３が開閉可能に装着されている。
【００１９】
該引戸３はガラスパネル２の内側に設けられてスライドすることが出来るように上レールに吊設されている。戸先側には配電ボックス９が設けられ、該配電ボックス９は引戸３の戸当たりとしての役目を果たしている。該配電ボックス９の内側には点検扉１０を有し、該点検扉１０は開くことが出来るように取付けられている。本発明のブースはその用途を限定するものではないが、空きテナントに設置するだけで独立した空間として機能するように、照明器具、エアコンなどの制御スイッチを備えている。
【００２０】
ところで、図４には引戸装置の縦断面を示しているように、本発明に係るブース入口に装着される引戸３はガラスパネル２の内側に吊設され、その為に上レール１１はフロント側横桟５の背面に取着されている。図５には上レール１１の取付け構造の詳細を表しているように、該フロント側横桟５の表側及び後側には凹溝１２，１２・・が長手方向に水平に設けられ、この凹溝１２，１２に係止板１３を嵌めると共に、上下係止片１４ａ，１４ｂに該係止板１３の上下端部を係止し、そして背面に当接した取付け板１５を係止板１３にネジ止めしている。
【００２１】
この取付け板１５に上レール１１が固定されている。従って、取付け板１５はフロント側横桟５に直接ネジ止めされない為に、該フロント側横桟５の表面にはネジ穴を設ける必要がなく、従ってフロント側横桟５にキズを付けることなく上レール１１の取付けが出来る。そして上レール１１には吊車１６のローラ１７が載って転動することが出来る。
【００２２】
ローラ１７からは吊具１８が垂下し、該吊具１８の下端には引戸３が連結している。そこで、フロント側横桟５と天井パネル１９との間には開口２０を設け、該開口２０を吊具１６が移動できるように成っている。その為に、ブース外側からは勿論のこと、ブース内からも上レール１１は見えず、特別なカバーは必要ない。床面にはガイドローラ２１が設けられ、引戸下端に形成した凹溝２２に該ガイドローラ２１が遊嵌して引戸３は横揺れすることなくスライドすることが出来る。
【図面の簡単な説明】
【００２３】
【図１】本発明に係るブースの外観図。
【図２】ブースの縦断面で、(ａ)は金属パネル部の縦断面図、(ｂ)はガラスパネル部の縦断面図。
【図３】ブースの横断面図。
【図４】フロント側横桟の背後に取付けられた引戸装置。
【図５】上レールに載っている吊車。
【図６】従来のブース。
【符号の説明】
【００２４】
１  金属パネル
２  ガラスパネル
３  引戸
４  アジャスターネジ
５  横桟
６  スタッド
７  主柱
８  入口
９  配電ボックス
10  点検扉
11  上レール
12  凹溝
13  係止板
14  係止片
15  取付け板
16  吊車
17  ローラ
18  吊具
20  開口
21  ガイドローラ
22  凹溝
【図１】
2006207258.tif 000003
【図２】
2006207258.tif 000004
【図３】
2006207258.tif 000005
【図４】
2006207258.tif 000006
【図５】
2006207258.tif 000007
【図６】
2006207258.tif 000008